【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
記録媒体の幅方向に沿う主走査方向に沿って往復移動可能に設けられ、その往復移動の過程でノズルからインクを吐出して前記記録媒体に画像を印字する記録ヘッドと、
前記記録ヘッドを往復移動させる移動手段と、
前記記録ヘッドを前記記録媒体側方の記録領域外に移動させた後に前記記録ヘッドを駆動させ、前記ノズルからインクを吐き捨てるインク吐き捨て動作を制御する制御手段とを有するインクジェット記録装置において、
前記制御手段は、前記画像の情報に基づいて、前記インク吐き捨て動作の際の吐き捨て位置を前記記録媒体の一側方のみとするか両側方とするか制御することを特徴とするインクジェット記録装置。
【請求項２】
記録媒体の幅方向に沿う主走査方向に沿って往復移動可能に設けられ、その往復移動の過程でノズルからインクを吐出して前記記録媒体に画像を印字する記録ヘッドと、
前記記録ヘッドを往復移動させる移動手段と、
前記記録ヘッドを前記記録媒体側方の記録領域外に移動させた後に前記記録ヘッドを駆動させ、前記ノズルからインクを吐き捨てるインク吐き捨て動作を制御する制御手段とを有するインクジェット記録装置において、
前記記録ヘッドの温度又はその環境温度もしくは前記インクの温度を検出する温度検出手段及び／又は前記記録ヘッドの環境湿度を検出する湿度検出手段を有し、
前記制御手段は、前記温度検出手段及び／又は前記湿度検出手段の検出結果に基づいて、前記インク吐き捨て動作の際の吐き捨て位置を前記記録媒体の一側方のみとするか両側方とするか制御することを特徴とするインクジェット記録装置。
【請求項３】
記録媒体の幅方向に沿う主走査方向に沿って往復移動可能に設けられ、その往復移動の過程でノズルからインクを吐出して前記記録媒体に画像を印字する記録ヘッドと、
前記記録ヘッドを往復移動させる移動手段と、
前記記録ヘッドを前記記録媒体側方の記録領域外に移動させた後に前記記録ヘッドを駆動させ、前記ノズルからインクを吐き捨てるインク吐き捨て動作を制御する制御手段とを有するインクジェット記録装置において、
前記記録ヘッドの温度又はその環境温度もしくは前記インクの温度を検出する温度検出手段及び／又は前記記録ヘッドの環境湿度を検出する湿度検出手段を有し、
前記制御手段は、前記画像の情報と前記温度検出手段及び／又は前記湿度検出手段の検出結果とに基づいて、前記インク吐き捨て動作の際の吐き捨て位置を前記記録媒体の一側方のみとするか両側方とするか制御することを特徴とするインクジェット記録装置。
【請求項４】
前記画像の情報は、画像を印字する際の印字幅及び／又は使用インク量であることを特徴とする請求項１又は３記載のインクジェット記録装置。
【請求項５】
前記記録媒体を載置して前記主走査方向と交叉する方向に搬送する搬送ベルトと、
前記搬送ベルトに接触してその表面を洗浄する洗浄手段と、
前記記録媒体の幅を検出する幅検出手段とを有し、
前記制御手段は、前記インク吐き捨て動作の際に、前記幅検出手段によって検出された前記記録媒体幅の外側の前記搬送ベルト上で前記記録ヘッドを駆動させてインクを吐き捨てることを特徴とする請求項１〜４のいずれかに記載のインクジェット記録装置。
【請求項６】
前記記録ヘッドは複数ヘッドからなり、
前記制御手段は、前記インク吐き捨て動作をヘッド毎に制御することを特徴とする請求項１〜５のいずれかに記載のインクジェット記録装置。
【請求項７】
記録媒体の幅方向に沿う主走査方向に沿った往復移動の過程でノズルからインクを吐出して前記記録媒体に画像を印字する記録ヘッドを、前記記録媒体側方の記録領域外に移動させた後に駆動させ、前記ノズルからインクを吐き捨てるインク吐き捨て動作を行うことによりノズルの回復を図るようにした記録ヘッドのノズル回復方法において、
前記画像の情報に基づいて、前記インク吐き捨て動作の際の吐き捨て位置を前記記録媒体の一側方のみとするか両側方とするか制御することを特徴とする記録ヘッドのノズル回復方法。
【請求項８】
記録媒体の幅方向に沿う主走査方向に沿った往復移動の過程でノズルからインクを吐出して前記記録媒体に画像を印字する記録ヘッドを、前記記録媒体側方の記録領域外に移動させた後に駆動させ、前記ノズルからインクを吐き捨てるインク吐き捨て動作を行うことによりノズルの回復を図るようにした記録ヘッドのノズル回復方法において、
前記記録ヘッドの温度又はその環境温度もしくは前記インクの温度及び／又は前記記録ヘッドの環境湿度を検出し、
その検出結果に基づいて、前記インク吐き捨て動作の際の吐き捨て位置を前記記録媒体の一側方のみとするか両側方とするか制御することを特徴とする記録ヘッドのノズル回復方法。
【請求項９】
記録媒体の幅方向に沿う主走査方向に沿った往復移動の過程でノズルからインクを吐出して前記記録媒体に画像を印字する記録ヘッドを、前記記録媒体側方の記録領域外に移動させた後に駆動させ、前記ノズルからインクを吐き捨てるインク吐き捨て動作を行うことによりノズルの回復を図るようにした記録ヘッドのノズル回復方法において、
前記記録ヘッドの温度又はその環境温度もしくは前記インクの温度及び／又は前記記録ヘッドの環境湿度を検出し、
その検出結果と、前記画像の情報とに基づいて、前記インク吐き捨て動作の際の吐き捨て位置を前記記録媒体の一側方のみとするか両側方とするか制御することを特徴とする記録ヘッドのノズル回復方法。
【請求項１０】
前記画像の情報は、画像を印字する際の印字幅及び／又は使用インク量であることを特徴とする請求項７又は９記載の記録ヘッドのノズル回復方法。
【請求項１１】
搬送ベルト上に前記記録録媒体を載置して前記主走査方向と交叉する方向に搬送させ、
前記記録媒体の幅を幅検出手段によって検出し、前記インク吐き捨て動作の際に、前記幅検出手段によって検出された前記記録媒体幅の外側の前記搬送ベルト上で前記記録ヘッドを駆動させてインクを吐き捨てると共に、
インクが吐き捨てられた搬送ベルト上を洗浄手段によって洗浄することを特徴とする請求項７〜１０のいずれかに記載の記録ヘッドのノズル回復方法。
【請求項１２】
前記記録ヘッドは複数ヘッドからなり、前記インク吐き捨て動作をヘッド毎に制御することを特徴とする請求項７〜１１のいずれかに記載の記録ヘッドのノズル回復方法。
【手続補正２】
【補正対象書類名】明細書
【補正対象項目名】発明の名称
【補正方法】変更
【補正の内容】
【発明の名称】インクジェット記録装置及び記録ヘッドのノズル回復方法
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
請求項１記載の発明は、記録媒体の幅方向に沿う主走査方向に沿って往復移動可能に設けられ、その往復移動の過程でノズルからインクを吐出して前記記録媒体に画像を印字する記録ヘッドと、前記記録ヘッドを往復移動させる移動手段と、前記記録ヘッドを前記記録媒体側方の記録領域外に移動させた後に前記記録ヘッドを駆動させ、前記ノズルからインクを吐き捨てるインク吐き捨て動作を制御する制御手段とを有するインクジェット記録装置において、前記制御手段は、前記画像の情報に基づいて、前記インク吐き捨て動作の際の吐き捨て位置を前記記録媒体の一側方のみとするか両側方とするか制御することを特徴とするインクジェット記録装置である。
【手続補正７】
【補正対象書類名】明細書
【補正対象項目名】００１６
【補正方法】変更
【補正の内容】
【００１６】
請求項２記載の発明は、記録媒体の幅方向に沿う主走査方向に沿って往復移動可能に設けられ、その往復移動の過程でノズルからインクを吐出して前記記録媒体に画像を印字する記録ヘッドと、前記記録ヘッドを往復移動させる移動手段と、前記記録ヘッドを前記記録媒体側方の記録領域外に移動させた後に前記記録ヘッドを駆動させ、前記ノズルからインクを吐き捨てるインク吐き捨て動作を制御する制御手段とを有するインクジェット記録装置において、前記記録ヘッドの温度又はその環境温度もしくは前記インクの温度を検出する温度検出手段及び／又は前記記録ヘッドの環境湿度を検出する湿度検出手段を有し、前記制御手段は、前記温度検出手段及び／又は前記湿度検出手段の検出結果に基づいて、前記インク吐き捨て動作の際の吐き捨て位置を前記記録媒体の一側方のみとするか両側方とするか制御することを特徴とするインクジェット記録装置である。
【手続補正８】
【補正対象書類名】明細書
【補正対象項目名】００１７
【補正方法】変更
【補正の内容】
【００１７】
請求項３記載の発明は、記録媒体の幅方向に沿う主走査方向に沿って往復移動可能に設けられ、その往復移動の過程でノズルからインクを吐出して前記記録媒体に画像を印字する記録ヘッドと、前記記録ヘッドを往復移動させる移動手段と、前記記録ヘッドを前記記録媒体側方の記録領域外に移動させた後に前記記録ヘッドを駆動させ、前記ノズルからインクを吐き捨てるインク吐き捨て動作を制御する制御手段とを有するインクジェット記録装置において、前記記録ヘッドの温度又はその環境温度もしくは前記インクの温度を検出する温度検出手段及び／又は前記記録ヘッドの環境湿度を検出する湿度検出手段を有し、前記制御手段は、前記画像の情報と前記温度検出手段及び／又は前記湿度検出手段の検出結果とに基づいて、前記インク吐き捨て動作の際の吐き捨て位置を前記記録媒体の一側方のみとするか両側方とするか制御することを特徴とするインクジェット記録装置である。
【手続補正９】
【補正対象書類名】明細書
【補正対象項目名】００１８
【補正方法】変更
【補正の内容】
【００１８】
請求項４記載の発明は、前記画像の情報は、画像を印字する際の印字幅及び／又は使用インク量であることを特徴とする請求項１又は３記載のインクジェット記録装置である。
【手続補正１０】
【補正対象書類名】明細書
【補正対象項目名】００１９
【補正方法】変更
【補正の内容】
【００１９】
請求項５記載の発明は、前記記録媒体を載置して前記主走査方向と交叉する方向に搬送する搬送ベルトと、前記搬送ベルトに接触してその表面を洗浄する洗浄手段と、前記記録媒体の幅を検出する幅検出手段とを有し、前記制御手段は、前記インク吐き捨て動作の際に、前記幅検出手段によって検出された前記記録媒体幅の外側の前記搬送ベルト上で前記記録ヘッドを駆動させてインクを吐き捨てることを特徴とする請求項１〜４のいずれかに記載のインクジェット記録装置である。
【手続補正１１】
【補正対象書類名】明細書
【補正対象項目名】００２０
【補正方法】変更
【補正の内容】
【００２０】
請求項６記載の発明は、前記記録ヘッドは複数ヘッドからなり、前記制御手段は、前記インク吐き捨て動作をヘッド毎に制御することを特徴とする請求項１〜５のいずれかに記載のインクジェット記録装置である。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
請求項７記載の発明は、記録媒体の幅方向に沿う主走査方向に沿った往復移動の過程でノズルからインクを吐出して前記記録媒体に画像を印字する記録ヘッドを、前記記録媒体側方の記録領域外に移動させた後に駆動させ、前記ノズルからインクを吐き捨てるインク吐き捨て動作を行うことによりノズルの回復を図るようにした記録ヘッドのノズル回復方法において、前記画像の情報に基づいて、前記インク吐き捨て動作の際の吐き捨て位置を前記記録媒体の一側方のみとするか両側方とするか制御することを特徴とする記録ヘッドのノズル回復方法である。
【手続補正１６】
【補正対象書類名】明細書
【補正対象項目名】００２５
【補正方法】変更
【補正の内容】
【００２５】
請求項８記載の発明は、記録媒体の幅方向に沿う主走査方向に沿った往復移動の過程でノズルからインクを吐出して前記記録媒体に画像を印字する記録ヘッドを、前記記録媒体側方の記録領域外に移動させた後に駆動させ、前記ノズルからインクを吐き捨てるインク吐き捨て動作を行うことによりノズルの回復を図るようにした記録ヘッドのノズル回復方法において、前記記録ヘッドの温度又はその環境温度もしくは前記インクの温度及び／又は前記記録ヘッドの環境湿度を検出し、その検出結果に基づいて、前記インク吐き捨て動作の際の吐き捨て位置を前記記録媒体の一側方のみとするか両側方とするか制御することを特徴とする記録ヘッドのノズル回復方法である。
【手続補正１７】
【補正対象書類名】明細書
【補正対象項目名】００２６
【補正方法】変更
【補正の内容】
【００２６】
請求項９記載の発明は、記録媒体の幅方向に沿う主走査方向に沿った往復移動の過程でノズルからインクを吐出して前記記録媒体に画像を印字する記録ヘッドを、前記記録媒体側方の記録領域外に移動させた後に駆動させ、前記ノズルからインクを吐き捨てるインク吐き捨て動作を行うことによりノズルの回復を図るようにした記録ヘッドのノズル回復方法において、前記記録ヘッドの温度又はその環境温度もしくは前記インクの温度及び／又は前記記録ヘッドの環境湿度を検出し、その検出結果と、前記画像の情報とに基づいて、前記インク吐き捨て動作の際の吐き捨て位置を前記記録媒体の一側方のみとするか両側方とするか制御することを特徴とする記録ヘッドのノズル回復方法である。
【手続補正１８】
【補正対象書類名】明細書
【補正対象項目名】００２７
【補正方法】変更
【補正の内容】
【００２７】
請求項１０記載の発明は、前記画像の情報は、画像を印字する際の印字幅及び／又は使用インク量であることを特徴とする請求項７又は９記載の記録ヘッドのノズル回復方法である。
【手続補正１９】
【補正対象書類名】明細書
【補正対象項目名】００２８
【補正方法】変更
【補正の内容】
【００２８】
請求項１１記載の発明は、搬送ベルト上に前記記録録媒体を載置して前記主走査方向と交叉する方向に搬送させ、前記記録媒体の幅を幅検出手段によって検出し、前記インク吐き捨て動作の際に、前記幅検出手段によって検出された前記記録媒体幅の外側の前記搬送ベルト上で前記記録ヘッドを駆動させてインクを吐き捨てると共に、インクが吐き捨てられた搬送ベルト上を洗浄手段によって洗浄することを特徴とする請求項７〜１０のいずれかに記載の記録ヘッドのノズル回復方法である。
【手続補正２０】
【補正対象書類名】明細書
【補正対象項目名】００２９
【補正方法】変更
【補正の内容】
【００２９】
請求項１２記載の発明は、前記記録ヘッドは複数ヘッドからなり、前記インク吐き捨て動作をヘッド毎に制御することを特徴とする請求項７〜１１のいずれかに記載の記録ヘッドのノズル回復方法である。
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】変更
【補正の内容】
【００４１】
請求項１記載の発明によれば、画像の情報に基づいて、インクを吐き捨てる際のインク吐き捨て位置を記録媒体の一側方とするか両側方とするか制御することにより、記録ヘッドのノズルの回復を図るためのインクの吐き捨て処理を効率良く実行することができる。これにより、高速で高画質な画像形成を行うことができるインクジェット記録装置を提供することができる。
【手続補正３３】
【補正対象書類名】明細書
【補正対象項目名】００４２
【補正方法】変更
【補正の内容】
【００４２】
請求項２記載の発明によれば、記録ヘッドの温度又はその環境温度もしくはインクの温度及び／又は記録ヘッドの環境湿度に基づいて、インクを吐き捨てる際のインク吐き捨て位置を記録媒体の一側方とするか両側方とするか制御することにより、記録ヘッドのノズルの回復を図るためのインクの吐き捨て処理を効率良く実行することができる。これにより、高速で高画質な画像形成を行うことができるインクジェット記録装置を提供することができる。
【手続補正３４】
【補正対象書類名】明細書
【補正対象項目名】００４３
【補正方法】変更
【補正の内容】
【００４３】
請求項３記載の発明によれば、画像の情報と記録ヘッドの温度又はその環境温度もしくはインクの温度及び／又は記録ヘッドの環境湿度とに基づいて、インクを吐き捨てる際のインク吐き捨て位置を記録媒体の一側方とするか両側方とするか制御することにより、記録ヘッドのノズルの回復を図るためのインクの吐き捨て処理をより効率良く実行することができる。これにより、高速で高画質な画像形成を行うことができるインクジェット記録装置を提供することができる。
【手続補正３５】
【補正対象書類名】明細書
【補正対象項目名】００４４
【補正方法】変更
【補正の内容】
【００４４】
請求項４記載の発明によれば、画像を印字する際の印字幅及び／又は使用インク量に基づくことにより、記録ヘッドのノズルの回復を図るためのインクの吐き捨て処理を効率良く実行することができる。
【手続補正３６】
【補正対象書類名】明細書
【補正対象項目名】００４５
【補正方法】変更
【補正の内容】
【００４５】
請求項５記載の発明によれば、記録媒体を搬送する搬送ベルト上にインクを吐き捨てるので、インク吐き捨て処理時に搬送ベルトの外側までの長距離に亘って記録ヘッドを移動させる必要がなく、それだけ画像出力の高速化を図ることができる。
【手続補正３７】
【補正対象書類名】明細書
【補正対象項目名】００４６
【補正方法】変更
【補正の内容】
【００４６】
請求項６記載の発明によれば、インク吐き捨て動作を複数ヘッドのヘッド毎に制御するので、記録ヘッドのノズルの回復を図るためのインクの吐き捨て処理をヘッド毎に効率良く実行することができる。
【手続補正３８】
【補正対象書類名】明細書
【補正対象項目名】００４７
【補正方法】削除
【補正の内容】
【手続補正３９】
【補正対象書類名】明細書
【補正対象項目名】００４８
【補正方法】削除
【補正の内容】
【手続補正４０】
【補正対象書類名】明細書
【補正対象項目名】００４９
【補正方法】削除
【補正の内容】
【手続補正４１】
【補正対象書類名】明細書
【補正対象項目名】００５０
【補正方法】変更
【補正の内容】
【００５０】
請求項７記載の発明によれば、画像の情報に基づいて、インクを吐き捨てる際のインク吐き捨て位置を記録媒体の一側方とするか両側方とするか制御することにより、記録ヘッドのノズルの回復を図るためのインクの吐き捨て処理を効率良く実行することができる。これにより、高速で高画質な画像形成を行うことができる記録ヘッドのノズル回復方法を提供することができる。
【手続補正４２】
【補正対象書類名】明細書
【補正対象項目名】００５１
【補正方法】変更
【補正の内容】
【００５１】
請求項８記載の発明によれば、記録ヘッドの温度又はその環境温度もしくはインクの温度及び／又は記録ヘッドの環境湿度に基づいて、インクを吐き捨てる際のインク吐き捨て位置を記録媒体の一側方とするか両側方とするか制御することにより、記録ヘッドのノズルの回復を図るためのインクの吐き捨て処理を効率良く実行することができる。これにより、高速で高画質な画像形成を行うことができる記録ヘッドのノズル回復方法を提供することができる。
【手続補正４３】
【補正対象書類名】明細書
【補正対象項目名】００５２
【補正方法】変更
【補正の内容】
【００５２】
請求項９記載の発明によれば、画像の情報と記録ヘッドの温度又はその環境温度もしくはインクの温度及び／又は記録ヘッドの環境湿度とに基づいて、インクを吐き捨てる際のインク吐き捨て位置を記録媒体の一側方とするか両側方とするか制御することにより、記録ヘッドのノズルの回復を図るためのインクの吐き捨て処理をより効率良く実行することができる。これにより、高速で高画質な画像形成を行うことができる記録ヘッドのノズル回復方法を提供することができる。
【手続補正４４】
【補正対象書類名】明細書
【補正対象項目名】００５３
【補正方法】変更
【補正の内容】
【００５３】
請求項１０記載の発明によれば、画像を印字する際の印字幅及び／又は使用インク量に基づくことにより、記録ヘッドのノズルの回復を図るためのインクの吐き捨て処理を効率良く実行することができる。
【手続補正４５】
【補正対象書類名】明細書
【補正対象項目名】００５４
【補正方法】変更
【補正の内容】
【００５４】
請求項１１記載の発明によれば、記録媒体を搬送する搬送ベルト上にインクを吐き捨てるので、インク吐き捨て処理時に搬送ベルトの外側までの長距離に亘って記録ヘッドを移動させる必要がなく、それだけ画像出力の高速化を図ることができる。
【手続補正４６】
【補正対象書類名】明細書
【補正対象項目名】００５５
【補正方法】変更
【補正の内容】
【００５５】
請求項１２記載の発明によれば、インク吐き捨て動作を複数ヘッドのヘッド毎に制御するので、記録ヘッドのノズルの回復を図るためのインクの吐き捨て処理をヘッド毎に効率良く実行することができる。
【手続補正４７】
【補正対象書類名】明細書
【補正対象項目名】００５６
【補正方法】削除
【補正の内容】
【手続補正４８】
【補正対象書類名】明細書
【補正対象項目名】００５７
【補正方法】削除
【補正の内容】
【手続補正４９】
【補正対象書類名】明細書
【補正対象項目名】００５８
【補正方法】削除
【補正の内容】
【手続補正５０】
【補正対象書類名】明細書
【補正対象項目名】００５９
【補正方法】削除
【補正の内容】
【手続補正５１】
【補正対象書類名】明細書
【補正対象項目名】００６０
【補正方法】削除
【補正の内容】
【手続補正５２】
【補正対象書類名】明細書
【補正対象項目名】００６１
【補正方法】削除
【補正の内容】
【手続補正５３】
【補正対象書類名】明細書
【補正対象項目名】００６２
【補正方法】削除
【補正の内容】
【手続補正５４】
【補正対象書類名】明細書
【補正対象項目名】００６３
【補正方法】削除
【補正の内容】